(57)【要約】【課題】簡単な構成で通信に影響を与えることなく回線との接続が正常であるか否かが出きるようにする。【解決手段】制御回路３が、電圧検出部２３で検出した回線電圧値に基づき、回線と回線側コネクタ端子とが正常に接続されているか否かを判断する。例えば、日本国内では４８Ｖの回線電圧が検出された場合には、回線と回線側コネクタ端子とは適正にモジュラージャックで接続されているが、この電圧が検出されない場合にはモジュラージャックが断線したり、抜けていたりして接続が異常であると判断する。【選択図】　　　　図１
2004104311.tif 000002
【特許請求の範囲】
【請求項１】
モジュラーケーブルにより公衆電話交換網の回線と接続される回線側コネクタ端子が接続可能に設けられると共に、回線電圧を検出する電圧検知部を備えて網制御を行う半導体製のディジタルアクセスアライメントにより形成された回線側回路と、
該回線側回路と絶縁素子により接続されると共に回線を介して送受信するデータを所定のデータ形式にする変復調回路と接続された半導体製のディジタルアクセスアライメントにより形成されたシステム側回路と、
前記回線側回路、システム側回路、変復調回路をそれぞれ制御する制御回路とを備えた通信装置において、
前記制御回路が、前記電圧検出部で検出した回線電圧値に基づき、前記回線と前記回線側コネクタ端子とが正常に接続されているか否かを判断するようにしたことを特徴とする通信装置。
【請求項２】
前記通信装置が、所定時間受信待ち状態である等の予め設定された省エネ状態移行要件が満たされた場合に、消費電力が抑制された省エネ状態に移行する省エネ機能を有し、かつ、
前記制御回路が、前記省エネ状態にあるときに着信等の通常状態に復帰するための通常状態移行要件が成立した場合に、これを検出して当該制御回路を省エネ状態から通常状態に復帰させる低消費電力動作制御部を備え、
前記システム側回路が、省エネ状態でも回線電圧を検出できる低消費電圧動作インターフェース部を備えて、
省エネ状態のときは、前記低消費電力動作制御部が前記低消費電圧動作インターフェース部を介して前記電圧検出部で検出した回線電圧値取得し、この回線電圧値に基づき、前記回線と前記回線側コネクタ端子とが正常に接続されているか否かを判断するようにしたことを特徴とする請求項１記載の通信装置。
【請求項３】
前記回線側回路と接続された前記前記回線側コネクタ端子と並列に、外付電話が接続される外付電話側コネクタ端子がスイッチ回路を介して接続され、かつ、該スイッチ回路のコモン端子が前記外付電話側コネクタ端子に接続され、通常状態として一方の接点端子が前記回線側コネクタ端子に接続され、他方の接点端子が開放されて、前記制御回路により接点切替が可能に設けられて、
前記制御回路が回線電圧を検出した際に、前記スイッチ回路を切替えても回線電圧が検出できるか否かを判断することにより、回線が前記回線側コネクタ端子に接続されているか否かを判断できるようにしたことを特徴とする請求項１又は２記載の通信装置。
【発明の詳細な説明】
【０００１】
【発明の属する技術分野】
本発明は、シリコン半導体等の半導体製のディジタルアクセスアライメント（Ｄｉｇｉｔａｌ　Ａｃｃｅｓｓ　Ａｒｒａｎｇｅｍｅｎｔ：以下、シリコンＤＡＡと記載する）により形成された回線側回路とシステム側回路とを備え、回線が回線側回路に適正に接続されているか否かを判断できるようにした通信装置に関する。
【０００２】
【従来の技術】
一般に、ファクシミリ装置や電話機等の通信装置は、公衆電話交換網（ＰＳＴＮ：以下回線と記載する）とモジュラーコネクタ端子を介して接続されて利用される。より具体的には、通信装置の網制御動作を行う網制御部（ＮＣＵ：Ｎｅｔｗｏｒｋ　Ｃｏｎｔｏｒｏｌ　Ｕｎｉｔ）と回線とがモジュラーケーブルにより接続されている。
【０００３】
このような事情は、このＮＣＵを半導体チップ化してなるシリコンＤＡＡ（Ｄｉｇｉｔａｌ　Ａｃｃｅｓｓ　Ａｒｒａｎｇｅｍｅｎｔ）を用いる場合においても同様で、インターフェースにモジュラーケーブルが接続されるようになっている。
【０００４】
しかしながら、通信装置の移設の際にモジュラーケーブルの装着を忘れたりやたり、モジュラーケーブルに過度の負荷がかかったりしてモジュラーケーブルが抜けたり、断線したり等して適正に接続できていない場合がある。
【０００５】
ところが、このような障害は通信装置のトラブルではないため、エラー表示等の警告がされず、オペレータはかかる障害が発生していることを気付くことが困難である。
【０００６】
例えば、近年のファクシミリ装置には省エネを図るために、所定の条件で受信等の待機状態になる機能が設けられている（以下、省エネ機能という）。そして、呼出信号を検出したり、ハンドセットがオフフックされたりと予め設定された条件が満たされると、省エネ機能から復帰するように構成されている。
【０００７】
このような構成でモジュラージャックが正しく接続されていないような場合には、呼出信号は検出されないため省エネ機能から復帰することができず、またオペレータもそのことを知ることが困難である。
【０００８】
また、回線の有効利用のために、回線をリレーなどのスイッチ回路を用いて電話機とファクシミリ装置とを接続するケースが多々ある。
【０００９】
この場合ファクシミリ装置と回線とを接続するコネクタ端子が、電話機とファクシミリ装置とを接続するコネクタ端子と同じ形状であることが多く、そのため回線と電話機を逆に接続してしまうケースがある。
【００１０】
しかし、回線と電話機とを逆に接続してしまったときでも、電話機はＮＣＵやシリコンＤＡＡなどの内部回路を経由して回線と接続されているため問題なく使用できてしまうが、ファクシミリ通信をする場合にはスイッチ回路を用いて電話機を回線から切り離してしまう処理を行うため、誤って接続されているファクシミリ装置は回線と接続されなくなって通信ができなくなってしまう。従って、ユーザは、この時初めて接続の誤りに気付くことになる。
【００１１】
このような観点から、電話回線接続用の回線端子と、電話機接続用の電話端子と、通信動作実行中にその電話端子に一定電圧を印加する電圧印加手段と、その電圧印加手段から流れる電流の有無により電話機のフック状態を判別するフック状態判別手段とを備え、接続される上記電話回線を介してデータ伝送を行なうデータ伝送装置において、データ伝送を開始する際に上記電話端子に外部から電圧が印加されていないかどうか検知する検知手段と、上記電話端子に電圧が印加されてない場合にはデータ伝送および上記電圧印加手段による上記電話端子への電圧印加を開始する動作開始手段と、上記電話端子に電圧が印加されている場合には接続異常である旨の警報を出力する警報手段とを備えた発明が提案されている（特許文献１を参照）。
【００１２】
また、複数の端末が回線に接続されている場合に、ある端末が通信中に通信接続状態を監視して他端末の制御を行う発明が提案されている（特許文献２，３を参照）。
【００１３】
回線電圧の有無を電流を検知することにより判断できる構成が提案されている（特許文献４を参照）
。
【００１４】
【特許文献１】
特開平４−１９６７４２号公報
【特許文献２】
特開平０７−１９３６５７号公報
【特許文献３】
特表２０００−５１３１８６号公報
【特許文献４】
特許第０２８５６８９６号公報
【００１５】
【発明が解決しようとする課題】
しかしながら、上記特許公報１に係る構成では、回線電圧を利用した電流を検知するための付属回路が必要となり、かつ、この回路は通常の通信には必要のないものであるためコストアップとなる問題がある。
【００１６】
また、特許公報２，３に係る発明においては、複数の端末が回線に接続されている場合に、ある端末が通信中に通信接続状態を監視して他端末の制御を行う構成が開示されている。しかし、かかる構成は回線接続が正常に行われている場合にのみ有効であり、モジュラーケーブルを間違って接続されていることを検出することができない問題がある。
【００１７】
また、シリコンシリコンＤＡＡはＣａｌｌｅｒ　ＩＤ（Ｃａｌｌｉｎｇ　Ｎｕｍｂｅｒ　Ｉｄｅｎｔｉｆｉｃａｔｉｏｎ）の検出を目的とする周知技術であるオンフック時の電圧検知機能を有するため既存回路で回線の接続状態を監視できるが、特許公報４にかかる発明では、回線電圧を利用した電流を検知するための付属回路が必要となり、かつ、この回路は通常の通信には必要のないものであるためコストアップとなる問題がある。
【００１８】
さらに、特許公報４の発明では通信を開始する際に接続異常の検出を行うため、機器の設置時点での確認ができない問題がある。
【００１９】
無論、ファクシミリ装置のオフフックボタンなどにより回線と正しく接続されているかを確認する方法も考えられるが、これはオペレータがマニュアルで実施しなければならず手間となると共に、かかる処理は通信規格で定められる「通信を目的とする以外での回線の占有を禁止する」項に違反することとなる。
【００２０】
そこで、本発明は、簡単な構成で通信に影響を与えることなく回線との接続が正常であるか否かが出きるようにした通信装置を提供することを目的とする。
【００２１】
【課題を解決するための手段】
上記課題を解決するため、請求項１にかかる発明は、モジュラーケーブルにより公衆電話交換網の回線と接続される回線側コネクタ端子が接続可能に設けられると共に、回線電圧を検出する電圧検知部を備えて網制御を行う半導体製のディジタルアクセスアライメントにより形成された回線側回路と、該回線側回路と絶縁素子により接続されると共に回線を介して送受信するデータを所定のデータ形式にする変復調回路と接続された半導体製のディジタルアクセスアライメントにより形成されたシステム側回路と、回線側回路、システム側回路、変復調回路をそれぞれ制御する制御回路とを備えた通信装置において、制御回路が、電圧検出部で検出した回線電圧値に基づき、回線と回線側コネクタ端子とが正常に接続されているか否かを判断するようにして、簡単な構成で通信に影響を与えることなく回線との接続が正常であるか否かが出きるようにしたことを特徴とする。
【００２２】
請求項２にかかる発明は、通信装置が、所定時間受信待ち状態である等の予め設定された省エネ状態移行要件が満たされた場合に、消費電力が抑制された省エネ状態に移行する省エネ機能を有し、かつ、制御回路が、省エネ状態にあるときに着信等の通常状態に復帰するための通常状態移行要件が成立した場合に、これを検出して当該制御回路を省エネ状態から通常状態に復帰させる低消費電力動作制御部を備え、システム側回路が、省エネ状態でも回線電圧を検出できる低消費電圧動作インターフェース部を備えて、省エネ状態のときは、低消費電力動作制御部が低消費電圧動作インターフェース部を介して電圧検出部で検出した回線電圧値取得し、この回線電圧値に基づき、回線と回線側コネクタ端子とが正常に接続されているか否かを判断するようにして、簡単な構成で、省エネ状態でも通信に影響を与えることなく回線との接続が正常であるか否かが出きるようにしたことを特徴とする。
【００２３】
請求項３にかかる発明は、回線側回路と接続された回線側コネクタ端子と並列に、外付電話が接続される外付電話側コネクタ端子がスイッチ回路を介して接続され、かつ、該スイッチ回路のコモン端子が外付電話側コネクタ端子に接続され、通常状態として一方の接点端子が回線側コネクタ端子に接続され、他方の接点端子が開放されて、制御回路により接点切替が可能に設けられて、制御回路が回線電圧を検出した際に、スイッチ回路を切替えても回線電圧が検出できるか否かを判断することにより、回線が回線側コネクタ端子に接続されているか否かを判断できるようにして、簡単な構成で、省エネ状態でも通信に影響を与えることなく回線との接続が正常であるか否かが出きるようにしたことを特徴とする。
【００２４】
【発明の実施の形態】
本発明の第１の実施の形態を図を参照して説明する。図１は、本実施の形態の説明に適用される通信装置としてファクシミリ装置を考えたときの回線側の要部構成を示す図で、回線と接続される回線側回路１１、画情報の変復調を行うＤＳＰ２と接続されたシステム側回路１２等を有している。
【００２５】
この回線側回路１１とシステム側回路１２とはシリコンＤＡＡによりなり、絶縁素子１３を介して接続されている。
【００２６】
回線側回路１１は、回線と接続されて網制御動作を行う。また、システム側回路１２は、画情報の変復調を行うＤＳＰ２とのインターフェース機能及びこれらの制御を行う制御回路３とのインターフェース機能を持っている。
【００２７】
また、回線側回路１１は、呼出信号を検出する呼出信号検出部２１やオフフック時の直流電流を検出する直流電流検出部２２、更にＣａｌｌｅｒ　ＩＤ信号を検出することを目的とするオンフック時の電圧監視が可能な電圧検出部２３等を備えている。
【００２８】
また、回線側回路１１には、送受信する各種情報や画情報をシステム側回路１２に送受信するためにＡ／Ｄ変換及びＤ／Ａ変換を行うＣＯＤＥＣ２６が設けられ、このＣＯＤＥＣ２６が絶縁素子１３と接続されている。
【００２９】
さらに、回線側回路１１の周辺回路として、各国の呼出信号に対する規格に合う呼出信号検出基準値を決定する終端抵抗等からなる呼出信号回路４、オフフック時に回線を閉結させるための直流回路５、この直流回路５の電流方向を一定にする整流回路６、回線との接続のために必要な回線側コネクタ端子７を備えている。
【００３０】
なお、サージ保護回路等の本発明に直接影響しない構成については図示省略している。
【００３１】
そして、電源投入時や通常待機時において制御回路３は、電圧検出部２３で検出した回線電圧を絶縁素子１３及びシステム側回路１２を介して定期的に取得する。
【００３２】
回線と回線側コネクタ端子７とがモジュラーケーブルで正常に接続されている場合には、回線には約４８Ｖ（日本の場合）が印加されているので、この電圧が検出されて接続が正常であることが判断できる。
【００３３】
一方、回線と回線側コネクタ端子７とを接続するモジュラーケーブルが断線している時、モジュラ抜けが発生している時等のモジュラーケーブルにより適正に接続されていないときは、電圧検出部２３は回線電圧を検出することができないため（略０Ｖの電圧を検出している状態）、制御回路３は接続異常が発生していることを判断することができる。
【００３４】
図２は、かかる判断手順を示すフローチャートで、先ず通信装置の電源が投入されると回線電圧を取得し（ステップＳＡ１）、その値が所定値（例えば、４８Ｖ）であるか否かを判断する（ステップＳＡ２）。
【００３５】
回線電圧が所定値の場合には、回線は正常に接続されていると判断でき（ステップＳＡ３）、次の回線電圧確認時間まで時間待ちを行う（ステップＳＡ４）。
【００３６】
一方、回線電圧が所定値でない場合には、回線接続は異常であると判断し（ステップＳＡ５）、その旨を操作部２７におけるエラー表示ＬＥＤ２７、ＬＣＤ３１、ブザー回路２８等によりエラー通知する（ステップＳＡ６）。
【００３７】
このように回線電圧を検出して、これに基づき回線が正常に接続されているか否かを判断するので、簡単な構成で通信に影響を与えることなく回線との接続が正常であるか否かが出きるようになり、信頼性や利便性が向上する。
【００３８】
次に、本発明の第２の実施の形態を図を参照して説明する。なお、上述した第１の実施の形態と同一構成に関しては同一符号を用い説明を適宜省略する。
【００３９】
図３は、
本実施の形態の説明に適用される通信装置としてファクシミリ装置を考えたときの回線側の要部構成を示す図で、図１に示す構成図に対して低消費電力動作制御部２５及び低消費電力動作インターフェース部２４を追設した点が異なっている。
【００４０】
この低消費電力動作制御部２５は、制御回路３に設けられて省エネ待機状態においては低消費電力モードで動作し、省エネ状態で復帰要因となる呼出信号検出やオフフック検出、さらにオンフック時の回線電圧監視機能を行うようになっている。
【００４１】
なお、省エネ状態は、通信状態が通常状態から移行した状態で、通信装置が所定時間受信待ち状態である等の予め設定された省エネ状態移行要件が満たされた場合に、着信等の通常状態に復帰するための通常状態移行要件を検出するのに必要な構成要素以外の電力供給を停止又は抑制して電力消費を削減するようにするものである。
【００４２】
そして、通常状態復帰要件を検出した場合には、制御回路３やＤＳＰ２等にリセット信号を送出して通常待機状態に復帰させる働きをする。
【００４３】
また、低消費電力動作インターフェース部２４は、システム側回路１２に設けられて、低消費電力にて回線側回路１１と低消費電力動作制御部２５とのインターフェースを行っている。
【００４４】
このような構成で、予め設定された時間だけ送受信動作が行われない等の省エネ移行要件が満たされると、低消費電力動作制御部２５、低消費電力動作インターフェース部２４、回線側回路１１等の省エネ状態で動作させる構成要素以外の構成要素への電力供給を停止又は抑制して省エネ待機状態に移行する。
【００４５】
但し、回線側回路１１は、極給電となるため省エネ待機状態でも通常通りに動作している。
【００４６】
これにより、省エネ待機時においても定期的に低消費電力動作制御部２５が電圧検出部２３からの回線電圧を監視できるようになる。
【００４７】
そして、このような省エネ待機時において低消費電力動作制御部２５が回線電圧を検出しなくなった場合には（略０Ｖの電圧を検出する状態になった場合）、これを省エネ復帰要因とし低消費電力動作制御部２５からリセット信号が出力されて制御回路３等が通常待機状態に復帰する。
【００４８】
従って、省エネ状態でモジュラーケーブルが抜ける等して回線異常が発生すると回線電圧が検出されなくなるため、これを通常状態復帰要因として復帰し、回線異常を通知できるようになる。
【００４９】
かかる処理手順を図４に示すフローチャートに従い説明する。先ず、通信装置の電源が投入されると、回線電圧の取得を行い（ステップＳＢ１）、この回線電圧が所定値（例えば、４８Ｖ）であるか否かを判断する（ステップＳＢ２）。
【００５０】
この結果、回線電圧が所定電圧の場合には、回線は正常に接続されているとして（ステップＳＢ３）、現在省エネ状態であるか否かを判断する（ステップＳＢ４）。
【００５１】
省エネ状態の場合には、次の回線電圧検出時間まで時間待ちを行い（ステップＳＢ７）、ステップＳＢ１に戻るが、省エネ状態でない場合には省エネ移行時間が経過したか否かを判断する（ステップＳＢ５）。
【００５２】
省エネ移行時間の経過したか否かとは、省エネ移行要件が成立したか否かを意味し、この省エネ移行要件が成立した場合には省エネ状態に移行し（ステップＳＢ６）、次の回線電圧検出時間まで時間待ちを行う（ステップＳＢ７）。
【００５３】
一方、ステップＳＢ５で、省エネ移行要件が成立していない場合には、次に行う回線電圧の確認時間になっているか否かの判断を行う（ステップＳＢ８）。
【００５４】
ステップＳＢ８において、次に行う回線電圧の確認時間待ちを行うが、その間に省エネ移行要件が成立する場合もあるので、当該要件の確認時間待ちの間はステップＳＢ５に戻り、この確認が得られるとステップＳＢ１に戻る。
【００５５】
一方、ステップＳＢ２で回線電圧が所定値（例えば、４８Ｖ）でないと判断した場合には、現在省エネ状態であるか否かを判断し（ステップＳＢ９）、省エネ状態でない場合には回線が正常に接続されていないと判断して（ステップＳＢ１２）、操作部２７におけるエラー表示ＬＥＤ２７、ＬＣＤ３１、ブザー回路２８等によりエラー通知する（ステップＳＢ１３）。
【００５６】
また、省エネ状態の場合には、低消費電力動作制御部２５からリセット信号を出力して通常状態に復帰させ（ステップＳＢ１０、ステップＳＢ１１）、省エネ状態でない場合には回線が正常に接続されていないと判断して（ステップＳＢ１２）、操作部２７におけるエラー表示ＬＥＤ２７、ＬＣＤ３１、ブザー回路２８等によりエラー通知する（ステップＳＢ１３）。
【００５７】
以上により、省エネ状態であっても回線接続に異常がある場合には、通常状態復帰させてその旨を警報するため、省エネ状態であるか否かを問わず回線状態の異常を監視することが可能になり信頼性が向上する。
【００５８】
次に、本発明の第３の実施の形態を図を参照して説明する。なお、上述した第１及び第２の実施の形態と同一構成に関しては同一符号を用い説明を適宜省略する。
【００５９】
図５は、本実施の形態の説明に適用される通信装置としてファクシミリ装置を考えたときの回線側の要部構成を示す図である。
【００６０】
これまで説明した各実施の形態においては、外付電話については言及していなかった。従って、回線と回線側コネクタ端子７との接続状態を監視することになる。
【００６１】
しかし、通信装置に外付電話が接続可能な場合には、外付電話が接続される外付電話側コネクタ端子と回線とが接続されても、回線電圧が検出されてしまい、ファクシミリ送信等を行う際に外付電話を回線から切離してしまうと、当該ファクシミリ送信等が行えなくなる問題がある。
【００６２】
そこで、本実施の形態では、かかる不都合を防止して適正に接続されているか否かが判断できるようにしたものである。
【００６３】
このため図３に示す構成図に対して、図５に示す構成では外付電話側コネクタ端子８や外付電話を回線から切離すことが出きるようにするスイッチ回路９を追設した点が異なっている。
【００６４】
このスイッチ回路９のコモン端子ｃ１，ｃ２には、外付電話側コネクタ端子８が接続され、その接点ａ１，ａ２は回線側コネクタ端子７から回線側回路１１に入力するラインに接続され、また接点ｂ１，ｂ２はオープン状態となっている。
【００６５】
そして、このスイッチ回路９は低消費電力動作制御部２５により制御されて、通常状態でコモン端子ｃ１，ｃ２が接点ａ１，ａ２と接続されている。
【００６６】
このような構成で、回線側コネクタ端子７又は外付電話側コネクタ端子８と回線とがモジュラーケーブルにより接続されていると、制御回路３は適正な値の回線電圧を検出するので、少なくとも回線との接続状態にあることが判断できる。
【００６７】
そこで、制御回路３は、スイッチ回路９を接点ｂ１，ｂ２側に切り替える。
【００６８】
このとき、モジュラーケーブルにより回線が回線側コネクタ端子７に正しく接続されている場合には、スイッチ回路９の切替えに関わらず回線電圧を検出するが、回線が外付電話側コネクタ端子８に接続されている場合には、スイッチ回路９を切替えることにより回線電圧が検出できなくなる。
【００６９】
このように、スイッチ回路９の切替により回線電圧が検出されなくなった場合には、制御回路３はモジュラーケーブルにより回線と回線側コネクタ端子７とが接続されいると判断できるようになる。
【００７０】
なお、このような接続の状態検出は、先に説明した第２の実施の形態におけるように電源起動時、通常待機時、省エネ待機時のいずれにおいても可能である。
【００７１】
かかる処理手順を図６に示すフローチャートに従い説明する。先ず、通信装置の電源が投入されたりモジュラーケーブルが接続されたりすると（ステップＳＣ１）、回線電圧を検出する（ステップＳＣ２）。
【００７２】
このとき、回線電圧が検出されない場合は、制御回路３は図６のフローチャートには示されていないが先の実施の形態において説明したように、接続異常と判断してその旨を通知する。
【００７３】
また、所定値の回線電圧が検出されると、制御回路３はモジュラーケーブルにより回線と接続されていても、その接続先が回線側コネクタ端子７なのか外付電話側コネクタ端子８なのかまでは判断できない。そこで、接続先のコネクタ端子を判断するためにスイッチ回路９を切替える。
【００７４】
このスイッチ回路９の切替により、コモン端子ｃ１，ｃ２は接点ａ１，ａ２から接点ｂ１，ｂ２に接続するようになるが、接点ｂ１，ｂ２はオープン端子となっているので外付電話側コネクタ端子８に回線が接続されている場合には、回線電圧を検出できなくなる。
【００７５】
このような観点からステップＳＣ４で回線電圧の検出を行い、回線電圧が正常に検出された場合には、回線と回線側コネクタ端子７とがモジュラーケーブルにより接続された正常な状態であると判断し（ステップＳＣ５）、所定の回線電圧が検出されなかった場合には接続異常と判断してステップＳＣ１２に進む。
【００７６】
回線接続が正常であると判断された場合には、スイッチ回路９を再度切替えて通常状態に戻しコモン端子ｃ１，ｃ２を接点ａ１，ａ２に接続させ（ステップＳＣ６）、現在省エネ状態であるか否かを判断する（ステップＳＣ７）。
【００７７】
省エネ状態の場合には、所定時間の待機時間の経過を待ち（ステップＳＣ１０）、ステップＳＢ２に戻るが、省エネ状態でない場合には省エネ移行時間が経過したか否かを判断する（ステップＳＣ８）。
【００７８】
省エネ移行時間の経過したか否かとは、省エネ移行要件が成立したか否かを意味し、この省エネ移行要件が成立した場合には省エネ状態に移行し（ステップＳＣ９）、次に行う回線電圧の確認時間になっているか否かの判断を行う（ステップＳＣ１０）。
【００７９】
一方、省エネ移行要件が成立していない場合には、次に行う回線電圧の確認時間になっているか否かの判断を行う（ステップＳＣ１１）。
【００８０】
ステップＳＣ１１において、次に行う回線電圧の確認時間待ちを行うが、その間に省エネ移行要件が成立する場合もあるので、当該確認時間待ちの間はステップＳＣ８に戻り、この確認が得られるとステップＳＣ２に戻る。
【００８１】
一方、ステップＳＣ４で回線電圧が所定値（例えば、４８Ｖ）でないと判断した場合には、現在省エネ状態であるか否かを判断し（ステップＳＣ１２）、省エネ状態でない場合には回線が接続異常と判断し（ステップＳＣ１５）、スイッチ回路９を再度切替えて通常状態に戻しコモン端子ｃ１，ｃ２を接点ａ１，ａ２に接続させ（ステップＳＣ１６）、操作部２７におけるエラー表示ＬＥＤ２７、ＬＣＤ３１、ブザー回路２８等によりエラー通知する（ステップＳＣ１７）。
【００８２】
また、省エネ状態の場合には、低消費電力動作制御部２５からリセット信号を出力して通常待機状態に移行させ（ステップＳＣ１３、ステップＳＣ１４）、省エネ状態でない場合には回線が正常に接続されていないと判断し（ステップＳＣ１５）、接続異常である旨を示す警報を発する（ステップＳＣ１７）。
【００８３】
これにより外付電話側コネクタ端子に回線が接続されているような場合でも、確実に接続状態を確認することができるようになり信頼性が向上する。
【００８４】
【発明の効果】
以上説明したように請求項１にかかる発明によれば、制御回路が、電圧検出部で検出した回線電圧値に基づき、回線と回線側コネクタ端子とが正常に接続されているか否かを判断するようにしたので、簡単な構成で通信に影響を与えることなく回線との接続が正常であるか否かが出きるようになり、信頼性や利便性が向上する。
【００８５】
請求項２にかかる発明によれば、通信装置が、所定時間受信待ち状態である等の予め設定された省エネ状態移行要件が満たされた場合に、消費電力が抑制された省エネ状態に移行する省エネ機能を有し、かつ、制御回路が、省エネ状態にあるときに着信等の通常状態に復帰するための通常状態移行要件が成立した場合に、これを検出して当該制御回路を省エネ状態から通常状態に復帰させる低消費電力動作制御部を備え、システム側回路が、省エネ状態でも回線電圧を検出できる低消費電圧動作インターフェース部を備えて、省エネ状態のときは、低消費電力動作制御部が低消費電圧動作インターフェース部を介して電圧検出部で検出した回線電圧値取得し、この回線電圧値に基づき、回線と回線側コネクタ端子とが正常に接続されているか否かを判断するようにしたので、簡単な構成で、省エネ状態でも通信に影響を与えることなく回線との接続が正常であるか否かが出きるようになり、信頼性や利便性が向上する。
【００８６】
請求項３にかかる発明によれば、回線側回路と接続された回線側コネクタ端子と並列に、外付電話が接続される外付電話側コネクタ端子がスイッチ回路を介して接続され、かつ、該スイッチ回路のコモン端子が外付電話側コネクタ端子に接続され、通常状態として一方の接点端子が回線側コネクタ端子に接続され、他方の接点端子が開放されて、制御回路により接点切替が可能に設けられて、制御回路が回線電圧を検出した際に、スイッチ回路を切替えても回線電圧が検出できるか否かを判断することにより、回線が回線側コネクタ端子に接続されているか否かを判断できるようにしたので、簡単な構成で、省エネ状態でも通信に影響を与えることなく回線との接続が正常であるか否かが出きるようになり信頼性が利便性が向上する。
【図面の簡単な説明】
【図１】本発明の第１の実施の形態の説明に適用される通信装置の要部構成を示す図である。
【図２】図１における構成の回線接続状態監視の処理手順を示すフローチャートである。
【図３】本発明の第２の実施の形態の説明に適用される通信装置の要部構成を示す図である。
【図４】図３における構成の回線接続状態監視の処理手順を示すフローチャートである。
【図５】本発明の第３の実施の形態の説明に適用される通信装置の要部構成を示す図である。
【図６】図５における構成の回線接続状態監視の処理手順を示すフローチャートである。
【符号の説明】
３　制御回路
７　回線側コネクタ端子
８　外付電話側コネクタ端子
９　スイッチ回路
１１　回線側回路
１２　システム側回路
１３　絶縁素子
２３　電圧検出部
２４　低消費電力動作インターフェース部
２５　低消費電力動作制御部
２７　エラー表示ＬＥＤ
２８　ブザー回路
３１　ＬＣＤ
【図１】
2004104311.tif 000003
【図２】
2004104311.tif 000004
【図３】
2004104311.tif 000005
【図４】
2004104311.tif 000006
【図５】
2004104311.tif 000007
【図６】
2004104311.tif 000008